(57)【特許請求の範囲】
【請求項１】
送信ポイントを制御する少なくとも１つの基地局と少なくとも１つの端末とを有する無線通信システムにおける送信方法であって、
少なくとも１つの送信ポイントが第１の信号をブロードキャストし、その他の信号の送信を停止するステップと、
前記端末が、前記送信ポイントからブロードキャストされた前記第１の信号を受信することにより、前記送信ポイントを発見するステップと、
受信した前記第１の信号の識別子を示す同期シーケンス、前記第１の信号がブロードキャストされたタイミング、受信電力レベルのうち少なくとも１つの特徴により決定される第２の信号を、前記端末が送信するステップと、
前記端末から前記第２の信号を前記基地局が受信した場合に、前記基地局が、第３の信号を少なくとも１つの送信ポイントからブロードキャストできるようにするステップと
を有する送信方法。
【請求項２】
前記第１の信号は、プライマリ同期シーケンス（ＰＳＳ）、セカンダリ同期シーケンス（ＳＳＳ）、共通リファレンス信号ＣＲＳ、チャネル状態情報リファレンス信号（ＣＳＩ−ＲＳ）のうちの任意の１つ以上を含む、請求項１に記載の送信方法。
【請求項３】
前記第１の信号が、前記第２の信号について可能な送信タイミングのリスト及び／又は周波数を示す、請求項１又は２に記載の送信方法。
【請求項４】
前記端末が、可能な送信タイミングの前記リストにより許容されている何れかのタイミングで自動的に前記第２の信号を送信する、請求項３に記載の送信方法。
【請求項５】
前記第３の信号は、ブロードキャストチャネル、ページングチャネル、リファレンス信号及び同期シーケンスのうちの任意の１つ以上を含む、請求項１ないし４のうち何れか１項に記載の送信方法。
【請求項６】
前記第３の信号は、リファレンス信号又は同期信号であり、前記第２の信号及び／又は前記第２の信号の特徴の受信に応じた密度でブロードキャストされる、請求項１ないし５のうち何れか１項に記載の送信方法。  
【請求項７】
前記第３の信号は、前記第１の信号とは異なる周波数でブロードキャストされる、請求項１ないし６のうち何れか１項に記載の送信方法。
【請求項８】
当該送信方法のステップが、前記基地局により制御されかつ前記端末により発見された複数の送信ポイントについて反復される、請求項１ないし７のうち何れか１項に記載の送信方法。
【請求項９】
前記端末が、前記送信ポイントから前記第１の信号を受信するが、指定された追加的な信号を前記送信ポイントから受信しない場合、前記端末は前記第２の信号に限って送信を許可される、請求項１ないし８のうち何れか１項に記載の送信方法。
【請求項１０】
送信ポイントを制御する少なくとも１つの基地局と少なくとも１つの端末とを有する無線通信システムであって、
何れかの送信ポイントが第１の信号をブロードキャストし、その他の信号の送信を停止するように形成され、
前記端末は、前記送信ポイントからブロードキャストされた前記第１の信号を受信することにより、前記送信ポイントを発見するように形成され、
前記端末は、受信した前記第１の信号の識別子を示す同期シーケンス、前記第１の信号がブロードキャストされたタイミング、受信電力レベルのうち少なくとも１つの特徴により決定される第２の信号を、送信するように形成され、
前記基地局は、前記端末から前記第２の信号を前記基地局が受信した場合に、第３の信号を少なくとも１つの送信ポイントからブロードキャストできるように形成されている、無線通信システム。
【請求項１１】
請求項１ないし９のうち何れか１項に記載の送信方法を使用するように形成された基地局。  
【請求項１２】
請求項１ないし９のうち何れか１項に記載の送信方法を使用するように形成された端末。
【発明の詳細な説明】
【技術分野】
【０００１】
開示される実施の形態は、例えば、3GPPロングタームエボリューション(LTE)及び3GPP_LTE-A(LTEアドバンスト)による一群の標準規格に従うシステムのような無線通信システム等に関連し、特にそのようなシステムで使用されるユーザ装置の存在通知に関連する。
【背景技術】
【０００２】
無線通信システムは広く知られており、無線通信システムでは基地局(BS)はBSの範囲内でユーザ装置(UE)と通信を行う(UEは端末、加入者、加入者局、移動局等と言及されてよい)。
【０００３】
1つ以上の基地局によりカバーされる地理的な領域又は範囲は一般にセルと呼ばれ、典型的には、隣接及び/又は重複するセルとともに多かれ少なかれシームレスに広範な地理的領域をカバーするネットワークを形成するように、多くのBSが適切な場所に設けられている。(本明細書において、「システム」及び「ネットワーク」は混乱のおそれがない限り同義語として使用されてよい)。各々のBSは、利用可能な帯域幅を、各自が管理するユーザ装置に割り当てるために個々のリソース割当部分に分ける。ユーザ装置は一般的にはモバイル(移動局)であるので、セルの中を移動し、隣接するセルの基地局間において必要なハンドオーバを促す。ユーザ装置は同時に複数のセルの領域内に存在することが可能であり  (すなわち、同時に複数のセルからの信号を検出することが可能であり)、1つのセルは更に大きなセルの中に全体的に包含されることが可能であるが、最も簡易な場合におけるUEは1つの「サービング」セルと通信を行う。
【０００４】
基地局からUEへの通信方向はダウンリンク(DL)と言及され、UEから基地局への通信方向はアップリンク(UL)と言及される。少なくとも本願の発明者に既知である無線通信システムでの通信モードは、ダウンリンク及びアップリンクの送信が同じキャリア周波数であるが時間的に分離されて行われるTDD(時分割複信)方式、及び、異なるキャリア周波数を利用してDL及びULで同時に送信が行われるFDD(周波数分割複信)方式である。
【先行技術文献】
【非特許文献】
【０００５】
【非特許文献１】Samsung:“CoMP  Feedback  including  preferred-TP  indicator”,  3GPP  DRAFT:  R1-121622  PREFERRED_TP_INDICATOR_FINAL,  3RD  GENERATION  PARTNERSHIP  PROJECT  (3GPP),  MOBILE  COMPETENCE  CENTRE;  650,  ROUTE  DES  LUCIOLES;  F-06921  SOPHIA-ANTIPOLIS  CEDEX;  FRANCE,  vol.  RAN  WG,  no.jeju,  Korea;  20120326  −  20120330,  20  March  2012  (2012-03-20),  XP050599885
【発明の概要】
【発明が解決しようとする課題】
【０００６】
そのようなシステムにおけるリソースは、時間的な次元と周波数的な次元との双方を有する。LTEでは、時間の次元はシンボル時間又は「スロット」の単位を有し(スロットは、典型的には、7つのシンボル時間期間を有する)、図1に示されているとおりである。時間領域のリソースは更にフレーム単位に組織され、各々のフレームは複数の「サブフレーム」を有する。フレームは1つずつ連続的に続き、各々のフレームにはシステムフレーム番号(SFN)が与えられる。
【０００７】
LTEの1フレームの構造において、10msのフレームは20個の0.5msの等しい時間長のスロット群に分割され、図1に示されているとおりである。サブフレームは2つの連続するスロットから成り、1つの無線フレームは10個のサブフレームを含む。FDDフレームは10個のアップリンクサブフレームと10個のダウンリンクサブフレームとが同時に生じるように形成される。TDDの場合、10個のサブフレームは、UL及びDLの間で共有され、負荷の状態に応じて、サブフレームに対するダウンリンク及びアップリンクの様々な割り当て方が可能である。従ってサブフレームはアップリンクサブフレーム又はダウンリンクサブフレームと言及されてもよい。
【０００８】
一方、周波数の次元はサブキャリア単位に分割される。BSのスケジューリング機能により、所定の期間にわたって指定された数のサブキャリアがUEに割り当てられる。そのような割当は典型的にはサブフレーム毎になされる。ダウンリンク及びアップリンク送信の双方に関して(すなわち、ダウンリンクサブフレーム及びアップリンクサブフレームの双方に関して)リソースが割り当てられる。
【０００９】
図2に示されているように、各スロットで送信される信号は、サブキャリアと利用可能なOFDM(直交周波数分割多重)シンボルとのリソースグリッドにより記述される。リソースグリッド内の各々の要素はリソースエレメント(RE)と呼ばれ、リソースエレメントの各々は(時間軸方向の)1つのシンボルに対応する。ショート又はロングサイクリックプレフィックス(CP)の何れが使用されるか否かに依存して、各ダウンリンクスロットは、スロット当たり7つ又は6つのシンボルを含む期間Tslotを有する。周波数領域には全部でNBW個のサブキャリアが存在し、具体的な数はシステム帯域幅に依存する。12サブキャリア×7又は6シンボルが占めるブロックは、リソースブロックと呼ばれる。リソースブロックはUEのリソース割当に関するスケジューリングの基本単位である。
【００１０】
基地局は典型的には複数のアンテナを有し、従って複数のデータストリームを同時に送信(受信)することが可能である。同じ基地局により制御される物理アンテナ群は地理的に遠く離間されていてもよいが、それは必須でない。一群の物理アンテナは、UEに至る論理的に区別された通信経路を提供し、アンテナポートと言及される(また、仮想アンテナと考えられてもよい)。アンテナポートは任意の数の物理アンテナを含んでよい。アンテナポートを介する様々な送信モードが可能であり、例えば、(LTE-Aの場合には)閉ループ複数入力複数出力(MIMO)方式に関する「送信モード9(transmission  mode  9)」が含まれる。物理アンテナ群の内の一部分は、地理的に同じ場所に全て存在していてもよく、同じ基地局の制御下にある異なる送信ポイント(transmission  point：TP)と考えられてよい。一般に、TPとセルとの間には一定の関係が存在し；TPの各々はネットワークの中で異なるセルを規定してよいが、それは必須ではない。本明細書において、文脈上特に断りのない限り、「基地局」という用語は個々のTPに使用されてもよい。
【００１１】
ネットワークの様々な抽象レベルにおいて、データ及びシグナリングのための複数の「チャネル」が規定されている。図3は、論理レベル、トランスポートレベル、物理レベルの各々においてLTEで規定されている幾つかのチャネルと、それらの対応関係とを示す。
【００１２】
ダウンリンクの物理レイヤのレベルでは、ユーザデータだけでなくシステム情報ブロック(SIB)もトランスポートチャネルDL-SCHに含まれ、物理ダウンリンク共有チャネル(PDSCH)により搬送される。図3から分かるように、PDSCHはトランスポートレイヤのレベルにおけるページングチャネルも搬送する。ダウンリンクには、様々な目的のシグナリング(通知、通知情報)を担う様々な制御チャネルが存在し、特に、物理ダウンリンク制御チャネル(PDCCH)は、基地局(LTEではエンハンストノードB(eNodeB、eNB)と言及される)からその基地局により管理される個々のUEへ、例えばスケジューリング情報を運ぶために使用される。PDCCHはスロットのうち先頭のOFDMシンボルに位置している。
【００１３】
各々の基地局は、各自のセルがUEにとって現在サービングセルとなっているか否かによらず、その範囲内の全てのUEに対して様々なチャネル及び信号をブロードキャストする。この点に関し、特に、図3に示されているような物理ブロードキャストチャネルPBCHに加えて、(図示されてはないが)プライマリ同期信号PSS及びセカンダリ同期信号SSSが含まれ、これらについては後述する。PBCHはいわゆるマスタ情報ブロック(MIB)を担い、MIBは、その信号が届く範囲内の任意のUEに対して、システム帯域幅、送信アンテナポート数及びシステムフレーム番号を含む基本情報を与える。MIBを読み取ることで、UEは、上記のSIBを受信及び復号できるようになる。「復号」はデコードと言及されてもよい。
【００１４】
一方、アップリンクでは、ユーザデータ及び何らかのシグナリングデータが物理アップリンク共有チャネル(PUSCH)により搬送され、制御チャネルは物理アップリンク制御チャネル(PUCCH)を含み、PUCCHは、チャネル品質インディケーション(CQI)レポートやスケジューリングリクエストを含むUEからのシグナリングを搬送するために使用される。
【００１５】
様々なデータ及びシグナリングの目的で規定される上記の「チャネル(channels)」は、UEとサービング基地局との間においてフェージングや干渉に委ねられる無線リンクと言う意味での「チャネル又は伝搬路」と混同すべきではない。UEによる測定(すなわち、メジャーメント)を促すため、基地局は例えば図4に示されるようにリソースブロックにリファレンス信号を挿入する。図4は1つのアンテナポートによる送信に関するダウンリンクリファレンス信号の配置構成を示す。図示されているように、1つのサブフレームは「R」で示されるリファレンス信号を有し、リファレンス信号は個々のリソースエレメントREに挿入される。様々な種類のリファレンス信号を利用することが可能であり、多くのアンテナポートが使用される場合、リファレンス信号の構造やパターンは異なってよい。
【００１６】
LTEでは(LTE-Aとは区別される)、ダウンリンクリファレンス信号は、セル固有の(又は共通の)リファレンス信号(CRS)と、(ここでは詳細に考察されない)MBMSで使用されるMBMSFNリファレンス信号と、ユーザ装置に固有のリファレンス信号(UE固有RS或いはUE個別RSであり、復調用リファレンス信号DM-RSと言及される)とに分類できる。また、ポジショニングリファレンス信号(positioning  reference  signal)も存在する。
【００１７】
CRSは、セル内の全てのUEに送信され、チャネル推定に使用される。リファレンス信号シーケンスは、セル識別子を担う。リファレンス信号シーケンスをサブキャリアにマッピングする際に、セル固有の周波数シフトが適用される。UE固有のリファレンス信号は、セル内の特定のUE又は特定のUEグループにより受信される。UE固有のリファレンス信号は、主に、データ復調を目的として特定のUE又は特定のUEグループにより使用される。
【００１８】
CRSは、非MBSFN送信を行っているセルの中で全てのダウンリンクサブフレームにより送信され、UEに割り当てられる特定の時間/周波数リソースによらず、eNodeBにより管理されるセル内の全てのUEによりアクセス可能(使用可能)である。CRSは無線チャネルの特性(いわゆるチャネル状態情報(CSI))を測定するためにUEにより使用される。一方、DM-RSは、セル内の一部のUEのみが受信するように割り当てられた特定のリソースブロックの中でしかeNodeBから送信されない。
【００１９】
標準仕様のリリース10以降のLTEは、LTEアドバンスト(LTE-Advanced：LTE-A)と言及される。LTE-Aにおける新たなリファレンス信号は、チャネル状態情報リファレンス信号(CSI-RS)である。干渉を最小化するため、CSI-RSは幾つかのサブフレーム毎にしか送信されない。リリース10の標準仕様の場合、CSI-RSの設定パターンは、1、2、4又は8つのアンテナポートに対して規定されている。これらの目的は、チャネル品質情報及びおそらくは他のネットワーク関連パラメータをフィードバックする際に、1つより多いセルに対するチャネル推定を(CRSを利用する場合よりも)改善することである。時間及び周波数に関するCSI-RSパターンは上位レイヤで設定されることが可能であり、リソースエレメント(RE)がそれらを包含する際に非常に大きな柔軟性をもたらす。
【００２０】
LTEリリース10に従うUEは、サービングセルに固有の複数のCSI-RSパターンとともに設定されることが可能である：
＿ワンコンフィギュレーション(one  configuration)：この場合、UEはCSI-RSについて非ゼロ送信電力を想定しなければならない；及び
＿ゼロ又はモアコンフィギュレーション(zero  or  more  configuration)：この場合、UEはゼロ送信電力を想定しなければならない。
【００２１】
「ゼロ送信電力CSI-RSパターン」の目的は、UEが関わっているセルのCSI-RSを含むREにおいてUEが送信を行わないことを、そのように設定されたセルが無事に想定できることを保証することである。ゼロ送信電力CSI-RSパターンが存在する情報は、PDSCH用いるデータ送信に及ぼすおそれのある影響を緩和するために、リリース10のUEにより使用可能である。
【００２２】
リファレンス信号はアップリンクでも規定されており、特に、UEにより送信されるサウンディングリファレンス信号であり、これはeNodeBにチャネル情報を提供する。
【００２３】
UEはRRCシグナリングを通じてネットワークから2つのSRSコンフィギュレーション(SRSの設定の仕方)を受信する。一方は、UE固有のSRS設定であり、周期又は頻度、オフセット、くし形送信インデックス(transmission  comb  index)、周波数領域での位置、周波数ホッピングパターン等のSRS送信に関する情報を規定する。SRSは、送信される場合には常にサブフレームの最後のOFDMシンボルで送信される。他方、SRSが使用される時及び場所における全てのUEに通知されるセル固有のSRSコンフィギュレーションもあり、UEは、全ての関連する周波数及び時間領域のリソースにおいてPUSCH送信を止めるようにする。LTE_Rel-10では、SRSはコンフィギュレーションに応じて周期的であってもよいし、或いは非周期的であってもよい(非周期的な場合は、DLシグナリングによりネットワークからトリガが与えられる)。
【００２４】
UEは、ネットワークとの通信を行う前に、適切に、セルサーチ手順を実行し、セルとの同期を獲得しなければならない。各々のセルは物理レイヤセル識別子(Physical  layer  cell  identity：PCI)により識別され、LTEでは504個規定されている。これらは168個の固有セルレイヤ識別子グループで階層的に組織され、それら各々は3つの物理レイヤ識別子を含む。物理レイヤ識別子及び物理レイヤセル識別子グループを搬送するため、2つの信号が用意されており、それらは、プライマリ及びセカンダリ同期信号(PSS及びSSS)である。本願のリファレンスに組み入れられる3GPP_TS36.211で規定されているように、PSSは3つの値(0、1、2)のうちの1つを指定してセルの物理レイヤ識別子を特定し、SSSは168グループのうちセルが所属するものを指定する。このように、PSSは3つの値の内の1つを表現し、SSSは168個の値の内の1つを表現するだけでよい。PSSはZadoff-Chuシーケンスに基づく62ビット信号であり、SSSは31ビットシーケンスを2つ組み合わせたものを使用し、物理セル識別子から導出されるシーケンスを利用してスクランブルされる。PSS及びSSS両者は全てのセルから一定のリソースで送信され、信号が届く範囲内の任意のUEによりそれらが検出可能であるようにする。従来、PSS及びSSSの各々はフレーム毎に2回送信され、言い換えれば5ms周期で送信されている(すなわち、いくつかのサブフレーム毎に1回送信されている)。例えば、図5A及び図5Bに示されているように、PSS及びSSSは何れも(無線)フレーム毎に1番目及び6番目のサブフレームで送信される。図5Aは(通常のCPを使用する)FDDシステムの場合におけるPSS、SSS及びPBCHの構成を示し、図5BはTDDの場合における構成を示す。
【００２５】
PSS及びSSSのデコードに成功すると、UEはセルに関するタイミング及び識別子を取得できる。UEがセルのPSS及びSSSをデコードすると、UEはセルの存在に気付き、上述したPBCHのMIBをデコードしてもよい。システムがFDD又はTDDの何れを使用しているかに依存して、図5A及び図5Bの比較例に示されているように、PBCHは先頭サブフレームにおいてPSS及びSSSの前又は後のスロット(又はシンボル)を占めている。同期信号SSSと同様に、PBCHはセル識別子に基づくシーケンスを用いてスクランブルされる。PBCHはフレーム毎に送信され、4つのフレーム(シンボル)によりMIBを搬送している。
【００２６】
UEは、次に、セルのリファレンス信号(RS)を測定することになる。現在のLTEリリースの場合、最初のステップは共通リファレンス信号CRSを特定することであり、周波数領域におけるその位置はPCI(物理セル識別子)に依存する。次のステップにおいて、UEはブロードキャストチャネル(PBCH)をデコードすることができる。更に、UEはPDCCHをデコードし、制御シグナリングを受信することができる。特に、「送信モード9」の場合、UEは上記のチャネル状態情報RS(CSI-RS)を用いて無線チャネルを測定する必要がある。
【００２７】
ネットワークと同期し、MIBをデコードすると、UEはネットワークにデータを送信するための何らかのアップリンク送信リソースを取得する必要がある。
【００２８】
UEに如何なるアップリンク送信リソースも割り当てられていない場合にネットワークにアクセスするために、物理ランダムアクセスチャネルPRACHを利用して、ランダムアクセスチャネル(RACH)を搬送する。スケジューリングリクエスト(SR)のトリガがUEで生じると、例えばPUSCHで送信するデータが生じると、PUSCHがUEに未だ割り当てられていなかった場合、この目的のためにSRが専用リソースで送信される。そのようなリソースがUEに割り当てられていなかった場合、RACH手順が開始される。SRを送信することは、事実上、データ送信のためにPUSCHのアップリンク無線リソースを求める要求である。
【００２９】
すなわち、RACHは、如何なる個別リソースも利用可能でない場合に、UEがアップリンクで信号を送信できるように提供されており、1つ以上の端末がPRACHリソースで同時に送信できる。所与の時点でリソースを利用するUE(又はUE群)の識別子はネットワークにとって事前には分からないので(ただし、後述の非衝突RACHの場合を除く)、「ランダムアクセス(RA)」という用語が使用されている(なお、本明細書においては、混乱のおそれがない限り、「システム」及び「ネットワーク」は可換に使用されてよい)。プリアンブルをUEに使用させることにより、eNodeBは様々な送信ソースを区別できる(プリアンブルが送信される場合、eNodeBにより識別可能なシグネチャとともに信号を生成する)。
【００３０】
RACHは、衝突モード及び非衝突モードの何れにおいてもUEにより使用可能である。衝突モード(contention-based  mode)のRAの場合、UEは何らかのプリアンブルをランダムに選択するので、2つ以上のUEがたまたま同じプリアンブルを選択すると、eNodeBにおいて「衝突」するおそれがある。「衝突(collision)」は競合等と言及されてもよい。非衝突モード(contention-free  mode)のRAは、使用されてよいプリアンブルをeNodeBが各UEに通知することにより、衝突を回避する。
【００３１】
図6に示されているように、物理ランダムアクセスチャネル(PRACH)の手順は、典型的には次のとおりである(衝突アクセス方式、すなわち衝突モードの場合)。
【００３２】
(i)  上述したように、UE10は関連するセル(サービングセル)のダウンリンクブロードキャストチャネルPBCHを受信する。
【００３３】
(ii)  eNodeB20により表現されているネットワークは、以下の情報を含むセル固有情報を通知する。
【００３４】
・PRACHに利用可能なリソース
・利用可能なプリアンブル(高々64個)
・短及び長メッセージサイズに対応するプリアンブル。
【００３５】
(iii)  UEは、利用可能な衝突アクセス方式及び意図されているメッセージサイズに応じて、PRACHプリアンブルを選択する。
【００３６】
(iv)  UE10は、サービングセルのアップリンクでPRACHプリアンブル(図6では「1」により示されており、「メッセージ1」と言及される)を送信する。ネットワーク(より具体的には、サービングセルのeNodeB)はメッセージ1を受信し、UEの送信タイミングを推定する。
【００３７】
(v)  UE10はネットワークからの(すなわち、eNodeBからの)レスポンスのために指定されているダウンリンクチャネルをモニタする。「レスポンス」は応答等と言及されてもよい。「モニタ」は監視等と言及されてもよい。UEがメッセージ1を送信したことに応じて、UE10はネットワークからランダムアクセスレスポンス又はRAR(図6では「2」により示されており、「メッセージ2」と言及される)を受信する。メッセージ2は、PUSCHを送信するためのULグラント(送信許可信号)と、UEが送信タイミングを調整するためのタイミングアドバンス(TA)コマンドとを含む。
【００３８】
(vi)  ネットワークからメッセージ2を受信したことに応じて、UE10は、メッセージ2に含まれているULグラント及びTA情報を利用して、PUSCHで送信を行う(図6では「3」により示されており、「メッセージ3」と言及される)。
【００３９】
(vii)  「4」で示されているように、eNodeB20が1つより多い数のUEから同時に同じプリアンブルを受信し、1つより多い数のUEがメッセージ3を送信した場合、衝突回避メッセージ(contention  resolution  message)がネットワークから(この例では、eNodeB20から)送信される。
【００４０】
UEがeNodeBから如何なるレスポンスも受信しなかった場合、UEは新たなプリアンブルを選択し、ランダムバックオフ時間の後にRACHサブフレームの新たな送信を行う。
【００４１】
上述したように、(複数の)セルは重複していてもよいし、小さなセルが大きなセルの中に完全に含まれていてもよい。これは、特に、いわゆるヘテロジニアスネットワーク(Heterogeneous  Network)である。
【００４２】
図7は概してヘテロジニアスネットワークの一部を示し、マクロ基地局10がマクロセル領域MCをカバーし、その中に、ピコ基地局12(ピコセルPC)及び様々なフェムト基地局14(フェムトセルFCを形成する)により形成される他の重複するセルが存在する。図7に示されているように、UE20は、1つ以上のセルと同時に通信してもよく、この例の場合、マクロセルMC及びピコセルPCと通信している。それらのセルは帯域幅が同じでなくてもよく、典型的には、マクロセルはピコ/フェムトセルより広い帯域幅を有する。
【００４３】
以下、幾つかの用語の定義を列挙する。
【００４４】
・ヘテロジニアスネットワーク：同じスペクトルの中で1つより多い数のマクロ、ピコ、フェムト基地局及び/又は中継局が混在しているネットワーク形態である。
【００４５】
・マクロ基地局−専用のバックホールを使用し、アクセスは公に公開されている従来の基地局である。典型的な送信電力は〜43dBmであり、アンテナゲインは〜12-15dBiである。
【００４６】
・ピコ基地局−専用のバックホールを使用し、アクセスは公に公開されている低電力基地局である。典型的な送信電力は〜23dBm-30dBmであり、アンテナゲインは0-5dBiである。
【００４７】
・フェムト基地局−顧客のブロードバンドコネクションをバックホールとして使用する顧客が配備できる基地局である。フェムト基地局は限られたアソシエーションを有していてもよい(アクセスは公に公開されていなくてもよい)。典型的な送信電力は＜23dBmである。
【００４８】
・中継局−バックホール及びアクセスに同じ無線スペクトルを使用する基地局である。ピコ基地局と同様な送信電力を使用してもよい。
【００４９】
LTEにおけるフェムト基地局の具体例はいわゆるホームeNodeB(HeNB)である。
【００５０】
限られたネットワークカバレッジセルを有する基地局(例えば、フェムト基地局(ホームeNodeB))をネットワークの顧客が導入する状況は、将来的なLTE形態ではますます普及してゆくことが予想される。フェムト基地局又はピコ基地局は例えば建物の中に導入されることが可能であり、建物の中ではネットワーク加入者局はマクロセルと通信(特に、送信)する際に大きなパスロスの影響を受ける。フェムト及びピコ基地局は、顧客の建物の中に顧客自ら導入できる。従って形成されるフェムトセル及びピコセルはネットワークカバレッジを改善する能力を有するが、様々なセルの中に配備する場合には、フェムトセル及びピコセルは、マクロセル(より正確には、図7における基地局「10」であり、MeNBと言及される)の制御の下で互いに同期していることが望ましい。このように形成される場合、ピコセルは、基地局の送信ポイントとして考えられるだけでなく、基地局自身のアンテナポートにより提供される送信ポイントとして考えられてもよい。
【００５１】
上記の送信ポイント(transmission  point：TP)は、本願においては、マクロセル内の様々な地理的な場所にある様々なアンテナ群とピコセルとの双方の意味を含む。
【００５２】
今のところ、UEがRRCレベルでネットワークに少なくとも接続されている場合に(UEはRRC_IDLE状態にあるかもしれないが)、UE及びLTEネットワークはネットワークのカバレッジに関する情報を送受信できるに過ぎない。UEは、ULデータを送信する差し迫った必要性に先行してネットワークに存在を通知することはできず、ネットワークは、所定のブロードキャスト信号(特に、PSS/SSS及びPBCH)が、近辺のUEにとって有用であるか否かによらず、それを従前通り送信し続けなければならない。そのような形態は時間と共に変わるUEの配置に対して柔軟に対応できず、更に、現在のネットワーク設計は送信ポイント(TP)とセルとの固定された対応関係(アソシエーション)を前提としている。動的な(UEの)配置形態に対する柔軟性の向上、ネットワーク送信電力の有効活用、及び干渉の緩和等の観点からは、将来的なネットワークアーキテクチャにおいて、時間経過と共にUEが移動し及びUEのサービス需要が変化する場合に、UEの近辺にネットワークを動的に形成又は構築できるようにすることが望ましい。
【課題を解決するための手段】
【００５３】
一実施形態による送信方法は、
第１の信号をブロードキャストするように制御される少なくとも２つの送信ポイントを制御する少なくとも１つの基地局と少なくとも１つの端末とを有する無線通信システムにおける送信方法であって、
少なくとも１つの送信ポイントが前記第１の信号をブロードキャストするステップと、
前記端末が、前記送信ポイントからブロードキャストされた前記第１の信号を受信することにより、前記送信ポイントを発見するステップと、
受信した前記第１の信号の少なくとも１つの特徴により決定される少なくとも１つの特徴を有する第２の信号を、前記端末が送信するステップと、
前記端末から前記第２の信号を送信ポイントが受信した場合に、前記基地局が、第３の信号を少なくとも１つの送信ポイントからブロードキャストできるようにするステップと
を有する送信方法である。
【図面の簡単な説明】
【００５４】
【図１】LTEで使用される一般的なフレーム構造を示す図。
【図２】ダウンリンクサブフレームにおけるリソースブロック(RB)及びリソースエレメント(RE)を示す図。
【図３】LTEにおける論理チャネル、トランスポートチャネル及び物理チャネルの間の対応関係を示す図。
【図４】ダウンリンクサブフレームにおけるリファレンス信号の挿入パターンの一例を示す図。
【図５Ａ】FDD方式のLTEシステムの場合における同期信号及びブロードキャストチャネルに関するスロット及びサブフレームの割り当て方を示す図。
【図５Ｂ】TDD方式のLTEシステムの場合における同期信号及びブロードキャストチャネルに関するスロット及びサブフレームの割り当て方を示す図。
【図６】LTEシステムにおける通常のRACH手順を示す図。
【図７】マクロセル、ピコセル及びフェムトセルが重複しているヘテロジニアスネットワークを概略的に示す図。
【図８】実施の形態による方法に含まれる主なステップを示すフローチャート。
【図９】一実施形態におけるUE存在通知に対するネットワークレスポンスに関するフローチャート。
【発明を実施するための形態】
【００５５】
＜実施の形態の概要＞
第１の実施の形態による送信方法は、
第１の信号をブロードキャストするように制御される少なくとも２つの送信ポイントを制御する少なくとも１つの基地局と少なくとも１つの端末とを有する無線通信システムにおける送信方法であって、
少なくとも１つの送信ポイントが前記第１の信号をブロードキャストするステップと、
前記端末が、前記送信ポイントからブロードキャストされた前記第１の信号を受信することにより、前記送信ポイントを発見するステップと、
受信した前記第１の信号の少なくとも１つの特徴により決定される少なくとも１つの特徴を有する第２の信号を、前記端末が送信するステップと、
前記端末から前記第２の信号を送信ポイントが受信した場合に、前記基地局が、第３の信号を少なくとも１つの送信ポイントからブロードキャストできるようにするステップと
を有する送信方法である。
【００５６】
ここで、端末により送信される第２の信号は、「存在通知(presence  indication)」として考えられ、以下において詳細に説明される。この存在通知は、端末が受信できる信号の送信元の送信ポイントを、端末がネットワークに自動的に通知できるようにする。本願の一実施形態において、存在通知は、関連する送信ポイントが第３の信号をブロードキャストし始めるべきことを基地局に通知する。
【００５７】
一実施形態において、前記第１の信号の少なくとも１つの特徴は、前記送信ポイントの識別子を示す同期シーケンスを含む。
【００５８】
代替的又は追加的に、前記第１の信号の少なくとも１つの特徴は、前記第１の信号がブロードキャストされたタイミングを含む。
【００５９】
代替的又は追加的に、前記第１の信号の少なくとも１つの特徴は、前記第２の信号について可能な送信タイミングのリスト及び/又は周波数(送信スケジュール)を示す。
【００６０】
また、好ましくは、前記端末は、可能な送信タイミングの前記リストにより許容されている何れかのタイミングで自動的に前記第２の信号を送信する。
【００６１】
受信した前記第１の信号の少なくとも１つの特徴により決定される前記第２の信号の少なくとも１つの特徴は、前記第２の信号が送信されてよい１つ以上のタイミング、及び、前記第２の信号が送信されてよい１つ以上の周波数のうちの何れかを含む。
【００６２】
上記のタイミングは、例えば、フレームに基づく無線通信システムにおける個々のサブフレームであってもよい。送信ポイントから特定の第１のサブフレームで第１の信号を受信したということは、その端末は、第１のサブフレームと所定の関係を有する第２のサブフレームで第２の信号を送信できることを意味する。
【００６３】
前記第２の信号は、サウンディングリファレンス信号の配置の仕方及びランダムアクセスプリアンブルの選択の仕方のうちの１つ以上を含む特徴を有してもよい。このように、特定の第１の信号を受信した端末は、所定の配置又は設定に従うサウンディングリファレンス信号を送信してもよいし、或いはネットワークに対して暗黙の意味を有するランダムアクセスプリアンブルを送信してもよい。(サウンディングリファレンス信号及びランダムアクセスプリアンブルという)双方の種類の信号を組み合わせることにより、潜在的に非常に多数の可能性のある状態のうちの何れか−すなわち端末に関する情報又はその好み−をネットワークに通知してもよい。
【００６４】
端末がネットワークに通知することを希望する可能性のある幾つかの種類の情報が存在する。上記の何れかの送信方法において、前記第２の信号の特徴は、前記端末により発見された複数の送信ポイントに属する送信ポイントの好ましい状態、及び、前記端末により発見された複数の送信ポイントに属する特定の複数の送信ポイントからの送信を受信する際の好み、のうちの少なくとも１つを示してもよい。後者の好みは端末のアグリゲーションの好み(aggregation  preference)として言及される。
【００６５】
第２の信号を受信したことに応じてブロードキャストされる前記第３の信号は、ブロードキャストチャネル、ページングチャネル、リファレンス信号及び同期シーケンスのうちの任意の１つ以上を含むことが可能である。これは、必要な場合に限って(例えば、１つ以上の端末が存在する場合に限って)、第３の信号をブロードキャストすることにより、送信ポイントが送信電力を制約できるようにする。
【００６６】
前記第３の信号がリファレンス信号又は同期信号である場合(或いはそれを含んでいる場合)、第３の信号は前記第２の信号及び/又は前記第２の信号の特徴の受信に応じた密度でブロードキャストされてもよい。このように、第３の信号の単なるオン/オフ状態ではない自由度で柔軟に制御されることが可能であり、例えば、リファレンス信号や同期信号に関して異なる条件を有する端末に適合することが可能である。前記第３の信号は、前記第１の信号とは異なる周波数でブロードキャストされてもよい。
【００６７】
上記の何れかの形態において、送信方法のステップは、前記基地局により制御されかつ前記端末により発見された複数の送信ポイントについて反復されてもよい。言い換えれば、端末は、発見した複数の送信ポイントの方に又はそれに関連して、個々の第２の信号を送信してもよい。しかしながら、端末が発見した全ての送信ポイントに関して端末が第２の信号を送信することは必須ではない。
【００６８】
一実施形態の送信方法において、前記端末が、前記送信ポイントから前記第１の信号を受信するが、指定された追加的な信号を前記送信ポイントから受信しない場合、前記端末は前記第２の信号を送信することしか許可されない。これは、例えば、指定された追加的な信号を送信し始めている送信端末に、既にそのように動作している場合に、不要なシグナリングを行ってしまうことを回避する。
【００６９】
別の実施形態において、端末は、第２の信号を受信する送信ポイントに変更が生じた場合に、第２の信号を送信するように許可されるのみであり、言い換えれば、端末が受信する第１の信号の送信元である発見された送信ポイント群に変更があった場合である。
【００７０】
更に別の形態は、送信ポイントがアップリンク及びダウンリンクに異なるセルを提供する無線通信システムにも適用可能である。端末からの第２の信号は、あるセルのアップリンクで送信されるが、(送信)タイミングは別のセルのダウンリンクに基づく。
【００７１】
第２の実施の形態による送信方法は、
少なくとも２つの送信ポイントを制御するネットワークと少なくとも１つの端末とを有する無線通信システムにおいて使用される送信方法であって、
ネットワークは、第１のブロードキャスト信号を送信するように第１の送信ポイントを制御し、
端末は、第１のブロードキャスト信号を受信すると、受信した第１のブロードキャスト信号の少なくとも１つの特徴により決定される少なくとも１つの特徴を有するアップリンク信号を送信するように形成され、
ネットワークは、端末からアップリンク信号を受信した場合に、第２のブロードキャスト信号が第２の送信ポイントから送信されるようにする、送信方法である。
【００７２】
第３の実施の形態による送信方法は、
送信ポイントを制御するネットワークと少なくとも１つの端末とを有する無線通信システムにおいて使用される送信方法であって、
ネットワークは、第１のブロードキャスト信号を送信するように送信ポイントを制御し、
端末は、第１のブロードキャスト信号を受信すると、受信した第１のブロードキャスト信号の少なくとも１つの特徴により決定される少なくとも１つの特徴を有する第１のアップリンク信号を送信するように形成され、
ネットワークは、端末から第１のアップリンク信号を受信した場合に、第２のブロードキャスト信号が送信ポイントから送信されるようにし、
端末は、第２のブロードキャスト信号を受信すると、受信した第２のブロードキャスト信号の少なくとも１つの特徴により決定される少なくとも１つの特徴を有する第２のアップリンク信号を送信する、送信方法である。
【００７３】
本願による他の実施の形態は、上記の何れかの方法を実行するように形成された無線通信ネットワークを提供する。
【００７４】
本願による更なる実施の形態は、上記の何れかの方法を使用するように形成された基地局を提供する。
【００７５】
本願による更なる実施の形態は、上記の何れかの方法を使用するように形成された端末を提供する。
【００７６】
別の実施の形態は、プロセッサを備えた無線トランシーバ装置が、上記の端末又は基地局を形成するように機能するソフトウェアに関連する。そのようなソフトウェアはコンピュータ可読記憶媒体(コンピュータにより読み取ることが可能な媒体)に記録されてもよい。
【００７７】
明細書、特許請求の範囲及び図面において、「セル」という用語はサブセルをも含むように意図されている。
【００７８】
本願における実施の形態は、何れの送信ポイント(TP)からUEは所定のブロードキャスト信号を受信できるかをUEがネットワークに自動的に通知する新規な方法を提供する。例えば、同期シーケンスの形式のブロードキャスト信号で特定のTPの物理識別子を受信することにより、UEは、希望すれば、そのTPからブロードキャスト信号を受信できる能力を示す通知(すなわち、そのTPのカバレッジ内に存在している旨の通知)をULで何時送信すべきかを推定する。次に、ネットワークは、それに応答して、ネットワークカバレッジの調整、他のブロードキャストチャネルのイネーブル又はディセーブル、及びページングの制御等のような適切な動作を実行することができる。
【００７９】
実施の形態による利点として例えば次のような点が挙げられる：
−  端末(UE)は、ブロードキャスト信号を受信してレスポンスを送信するために何らの明示的なタイミング情報を知らなくてもよい点、
−  複数のUEが各自の存在を同時に通知した場合、衝突回避又は競合解決は必要ない点(従来のRACH手順とは異なる)、
−  存在通知信号をUEが送信したことに対して、ネットワークが、追加的なブロードキャストチャネルを起動する形式で応答できる点、
−  特定の送信ポイントのカバレッジ/サービスエリアの範囲内に端末が存在することをネットワークが確認するために、送信オーバーヘッド及びシグナリングが少なくて済む点。
【００８０】
一般に、明示的に言及していない限り、本願における或る実施形態に関して説明される特徴は、同様に又はそれらの任意の組み合わせにより、たとえそのような組み合わせが本願において明示的に言及も記載もされていなかったとしても、他の実施形態に適用されてよい。
【００８１】
上記の説明から明らかであるように、本願は無線通信システムにおける基地局及びユーザ装置の間で信号送信を行う。基地局はそのような信号を送信及び受信するのに相応しい任意の形態をとってよい。基地局は、典型的には、3GPP_LTE及び3GPP_LTE-Aの一群の標準規格に提案されている実施形態を使用し、従って、様々な状況において適切であるならばeNodeB(eNB)(eNBという用語は、ホームeNodeB(HeNB)を包含する)であってもよいと考えられる。しかしながら、本願による機能的な条件に依存して、全部又は一部の基地局は、ユーザ装置に信号を送信し及びユーザ装置から信号を受信し、かつ、フィードバックされたチャネル状態情報に基づいてユーザ装置に送信するための信号を形成するのに相応しい他の形態を採用してもよい。
【００８２】
同様に、本願において、ユーザ装置の各々は基地局への信号を送信し及び基地局からの信号を受信するのに適した任意の形態を採用してよい。例えば、ユーザ装置は、加入者局、移動局(MS)の形態を採用してもよく、或いはその他の適切な任意の固定局或いは可動な形態を採用してもよい。実施の形態を思い浮かべやすいように、ユーザ装置をモバイルハンドセットと想定することが便利であるかもしれないが(多くの場合、少なくとも一部のユーザ装置はモバイルハンドセットであると考えられるが)、そのような事項は何であれそれにより本願の開示内容を限定するものではない。
【００８３】
＜実施の形態の詳細な説明＞
単なる例示として添付図面を参照しながら実施の形態を説明する。
【００８４】
本願において想定されている主な状況は、(特定のセルに関連付けられることが必須ではないという意味において)特定のネットワーク構造を有していなくてもよい多数のTPとともにUEが動作する状況である。マクロeNodeB(MeNB)のような何らかの上位レベルの装置が、TPを制御しており、或いはそのような制御は他の場所でなされてもよい。何れにせよ複数のTPは同期していることが仮定される。複数のUEに対して意図されているブロードキャストシグナリングにより、UEがネットワーク構造についての情報を直接的に取得できたならば、多くの複雑な複数の周波数レイヤの状況においてUEに利用可能な特定のリソースを示す潜在的に膨大な量に及ぶ上位レイヤシグナリングを受信することなく、ネットワークとやりとりすることに関する判断を行うことができるであろう。そのような問題は例えば国際出願番号第PCT/EP2012/051452号で考察されている。しかしながら、UEが存在しているエリアのTPをネットワークに通知することによりそのような情報をUEが自動的に処理できたならば、ネットワーク(又はTP)はカバレッジ及びリソース準備の観点からそれに応じた処理を実行できるであろう。
【００８５】
主要な状況は本願の内容を限定するものではなく、本願の説明の便宜上、セル内の様々な場所にある様々なアンテナ群とピコセルとの双方がTPと考えることが可能であり、有利な代替的な状況は、重なっているマクロセルが行う制御によりピコセルのレイヤが密集して存在する状況である。
【００８６】
実施の形態は、UEが受信する信号の送信元のTPをUEがネットワークに自動的に通知する手段を意図している。これは、以下の説明において「存在通知(presence  indication)」と呼ばれている。LTEに応用される場合、プライマリ及びセカンダリ同期シーケンス(PSS及びSSS)をTPから受信し、それらが含む物理セル識別子(PCI)をルックアップテーブルと照合することにより、UEは、希望すれば、ブロードキャスト信号を受信できる能力を示す通知(すなわち、そのTPのカバレッジ内に存在している旨の通知)(以下において、「存在通知」と言及される)をULで何時送信すべきかを判断する。なお、そのような存在通知をTP「に」又はTP「へ」送信するという表現が使用されているが、これは、所定のTPに関するネットワークに(又はネットワークへ)UEが信号を送信していることの簡略表現であることが理解されるべきであり、全てのTPがUEからの信号を受信するように準備されていることは必須でない。
【００８７】
以下において、同期シーケンスが示す識別子は「物理送信ポイント識別子(physical  transmission  point  identity：PTPI)」であり、TPはLTEのセルの基礎を形成することに一般的には関連する全ての信号を送信しなくてよい点を明確化し、従来のPCIとは異なる物理識別子を担う新たなシーケンスが使用される点を明確にする。すなわち、実施の形態は新たなバージョンのPSS及び/又はSSSを利用して展開され、そのPSS/SSSは必ずしもPCIである必要はないが何らかの方法でTPを識別する識別子を担う。これは、実施の形態による方法に気付かない従来のUEとの後方互換性をもたらす。従って以下の説明はPSS及びSSSではなく主に「同期シーケンス(SS)」の観点からなされる。
【００８８】
図8は実施の形態による方法のフローチャートの大要を示す。
【００８９】
ステップ102において、TPは自身のSSをブロードキャストし、SSは上述したようにLTEネットワークの従来のPSS/SSSであってもよく、各自のTPのPTPIを何らかの方法で含み、例えば従来のPCIを含んでいてもよい。上述したように、従来のPSS/SSSは、PCIから導出されたシーケンスを利用することによりスクランブルされたビットシーケンスから形成される。同様な方法が、新規なSSを形成する際に使用されてもよい。
【００９０】
ステップ104において、UEは、信号が届く現在の範囲内(レンジ内)に存在する1つ以上のTPからSSを検出する。
【００９１】
ステップ106において、次に、UEは信号に含まれているPTPIを導出するために、受信したSSの各々をデコードする。従来のPSS/SSSの場合、デコードに成功すると、UEは、PSS/SSSを形成するのに使用されたシーケンスをスクランブルするのに使用されたセルPCIを特定できる。
【００９２】
ステップ108において、UEは、SSに応答して、自身の存在通知を送信する可能性又は候補に関する何らかの情報を推定し、例えば適切なTPに関連する存在通知をULで送信するのに利用可能なタイミング(及びおそらくは1つ以上の周波数)を推定する。上述したように、この推定は、可能な値のテーブルに含まれている数字インデックスのように、PTPIの値に基づいている。
【００９３】
ステップ110において、UEはそのような存在通知を送信することを決定し、そのように動作する。後述する実施の形態に関する説明から更に明らかになるように、存在通知は、1回の送信ではなく信号の組み合わせを含むことも可能である。存在通知の送信用に選択された特定のタイミング(利用可能なタイミングのうちの一部分又は或る範囲内のタイミング)が、追加的な(更なる)情報をネットワークに示唆してもよい。
【００９４】
ステップ106ないしステップ110は、単独のSSに関連して説明されたが、原理的にはUEが検出したのと同程度に多いSSについて反復されてもよく、ステップ110は必須ではなく選択的である。
【００９５】
UEは存在通知を送信する前に存在通知に関連する別の判断を自動的に行ってもよく、ネットワークは、それに応答して、ネットワークのカバレッジや構造の調整、他のブロードキャストチャネルのイネーブル又はディセーブル、及びページングの制御等のような適切な動作を実行することができる。
【００９６】
本願の開示内容の代替的な形態は、国際出願番号第PCT/EP2012/051452号に示されているようにPSS/SSSとサブフレームとの関連付けを使用し、UEがPSS/SSSをTPから受信するサブフレームと、UEが存在通知を送信してよいサブフレームとを関連付けることである。「関連付け」は、アソシエーション、リンク、対応付け等と言及されてもよい。従ってそのような例の場合には、存在通知に可能なタイミングをUEが判断するために、PTPIの値は必ずしも必要とされない。
【００９７】
概して特に断りのない限り、以下において説明される実施形態はLTEに基づいており、ネットワークはFDDを用いて動作しかつ1つ以上のeNodeB/MeNBを有し、各々は1つ以上のダウンリンクセルを制御し、ダウンリンクセルの各々はアップリンクセルにそれぞれ対応している。DLセルの各々は1つ以上の端末(UE)を含み、UEはサービングセルから送信された信号を受信してデコードする。現在のシステムの通常の動作期間では、セルがUEのサービングセルであるか否かによらず、各々のセルが多数の信号及びチャネル(例えば、PSS、SSS、CRS、PBCH)を、ブロードキャストで全てのUEに送信している。これらはタイミング情報、PCI、その他のセルに共通する基礎的なシステム情報を含む。他の情報は、PDCCHを含むチャネルで、セルに在圏しているUEに送信される。UEがセルに在圏している場合、そのセルはそのUEのサービングセルと呼ばれてもよい。PDCCHメッセージは、典型的には、データ送信がアップリンク(PUSCH)又はダウンリンク(PDSCH)となるか否かを示し、送信リソース及びその他の情報(例えば、送信モード、アンテナポート数、データレート、イネーブルされているコードワード数等)も示す。更に、PDCCHは、どのリファレンス信号がDL送信の復調のための位相リファレンスを導出するために使用されるかを示してもよい。同じ場所(時間及び周波数の場所)を占めるが異なるアンテナポートのリファレンス信号は、異なる拡散コードにより区別される。
【００９８】
しかしながら、LTEの場合、PSS及び/又はSSS或いは等価的なSSを除いて、実施の形態の動作を行わせるだけのために、如何なる信号及びチャネルもネットワークが送信する必要はない。
【００９９】
（ａ）ＳＲＳ送信によるＵＥ存在通知
第１の実施形態において、関与している一群のＴＰはＰＴＰＩを担う各自のＳＳを送信する。各々のＰＴＰＩは特定のＴＰを特徴付けるが、ＴＰの各々が１つのＰＴＰＩに制限されることは必須でない。他のブロードキャスト信号は必ずしも送信されない。特定のＰＴＰＩを受信することができるＵＥは、そのように受信できた事実を、特定のサブフレーム番号ｍにおける所定の設定に従ってＳＲＳを送信して良い許可として受け止めることが可能であり、自身の存在をネットワークに通知する。ＵＥ固有の一群のＳＲＳコンフィギュレーションは、従来のＵＬチャネルのＳＲＳのサウンディング用途と区別して使用する目的で、標準仕様の中で予約されていてもよい。同じＵＥ固有ＳＲＳコンフィギュレーションで送信する複数のＵＥは、各自のＳＲＳシーケンスに異なる量のサイクリックシフトを持たせることにより区別できる。しかしながら、所与の時点において厳密に幾つのＵＥが各自の存在を通知したかをネットワークが識別できることは必須ではない。
【０１００】
SSが従来のPCIを担うLTE_PSS及びLTE_SSSであった場合、これは、PCIのうちの一部分を、UE存在通知の送信に許可されるサブフレーム番号を示す機能に割り振ることになる。
【０１０１】
実施の形態は、(i)UEが特定のTPの近辺に存在することをネットワークに通知できるようにすること、及び(ii)そのTPに関するULチャネル品質情報(実際に使用されてもされなくてもよい)を提供することという少なくとも二重の作用効果を奏する。
【０１０２】
この実施形態の変形例において、組織化又は体系化されていない密集した一群のTPがマクロセルに含まれている状況では(TPのセルとマクロセルとが重なっている場合)、マクロeNodeBは、RRCにより予約済みのSRSコンフィギュレーションを通知し、必要に応じて(例えば、MeNBの従来のサウンディングの必要性に応じて)それらを変更できる。SRSリソースの適切な割り振りは、どの程度多くのアクティブUEがマクロセルのカバレッジ領域内に存在しているかに依存してもよい。
【０１０３】
（ｂ）PRACH送信によるUE存在通知
第2の実施形態は第1の実施形態と同様であるが、許可がPRACHを送信するUEに与えられる点が異なる。PRACHの従来の利用の仕方と実施形態とを明確に区別するため、RAプリアンブルのうちの一部のRAプリアンブルが、その目的に使用されるように予約されることが可能である。ネットワークに対してRRCコネクションを有しておらずPBCH送信(後述)にアクセスできない状態のUEの場合、PRACHリソースの一部が、実施形態の目的のために上記と同様に、予約されたRAプリアンブルの送信について、標準仕様の中で規定又は確保されることが可能である。実施形態に関連するRAプリアンブルを受信すると、ネットワークは、通常のRAに従事するのではなく、本願の実施形態で説明されているような処理に続く。
【０１０４】
この実施形態において、1つより多いUEが同じプリアンブルを選択すると、同じサブフレームにおいて、単純に、ネットワークにより何れも受信されることになる。これは真のUEの数を「反映しないが(hide)」、それでも、少なくとも1つのUEが存在していることを通知できる。
【０１０５】
この実施形態の変形例において、組織化されていない密集した一群のTPがマクロセルに含まれている状況では(TPのセルとマクロセルとが重なっている場合)、マクロeNodeBは、RRCにより予約済みのPRACHリソースを通知し、必要に応じてそれらを変更できる。
【０１０６】
プリアンブルをサブセット(複数の部分)に分割することについては、例えば国際出願番号第PCT/EP2011/067048号及びPCT/EP2012/051144等に示されており、これらは本願のリファレンスに組み入れられる。
【０１０７】
（ｃ）SRS及びRACH双方の送信によるUE存在通知
第3の実施形態では、ある特定のサブフレームm1でSRSを送信しかつサブフレームm2でPRACHを送信することによりUEが自身の存在を通知するように、第1及び第2の実施形態が結合される。m1及びm2は同一であってもよいし相違していてもよく、また、m2はm1の関数であってもよく(m2がm1から導出可能であってもよく)、m1及びm2の関係は逆であってもよい。
【０１０８】
SRS及びPRACHが同じ存在通知を冗長的に提供する場合、UEの存在通知を検出する信頼性が向上する。
【０１０９】
一方、SRSにより及びPRACHにより個別的に通知するのではなく、SRS及びPRACHの組み合わせにより存在通知が形成されてもよい。そのような信号の組み合わせは、多数の状態の可能性を通知することを可能にし、例えば、多数のUEを区別することを可能にすることや、後述する第4の実施形態で言及されるような追加的な情報を通知できるようにする。
【０１１０】
（ｄ）UE通知のための複数のULサブフレームグラント
第4の実施形態では、第3の実施形態等におけるサブフレーム番号mが複数のサブフレーム{m1，m2，...}を許容するように拡張され、そのサブフレームでUEは存在通知を表す信号を送信してよい。特定の何れのサブフレームが使用されるかについてのUEの選択は、UEの観点からのTPについての情報をネットワークに通知することになり、その情報は例えば次のような事項を含む：
−  受信したもの中でのTPの適性状態(preferred  status)。例えば、「ハイ(高)」である適性状態は、(i)UEがそのTPを受信することが可能であり、かつ(ii)UEが受信できるTPの中で、そのTPから更なる送信(例えば、PDSCHの送信)を行うことが好ましいことを示す一方；「ロー(低)」である適性状態は、(i)UEがそのTPを受信することは可能であるが、  (ii)UEは、少なくとも1つの他のTPについて「ハイ」の適性状態を通知することになることを示す。そのような情報は、例えばeNodeB(既出)のようなTP又は上位のアグリゲーションレベルにおけるスケジューリングの判断を支援することが可能である。
【０１１１】
−  TPアグリゲーション適性(TP  aggregation  preference)。例えば、UEは、そのTPから、サブフレームの選択により示される少なくとも1つの他のTPとともに、例えばPDSCHのような更なる送信を行うことに適した状態(high  preference)であるかもしれない。TPのアグリゲーションはアンテナポート(LTE用語)又は他の送信形態でなされてもよい。サブフレームの1つの選択は、UEがその単独のTPを好んでいることを通知することが可能である。
【０１１２】
これらの適性又は好みは、TPからのPSS及び/又はSSSの受信電力レベルの測定(メジャーメント)に基づいていてもよい。UEに許可されるサブフレーム数に依存して、状態数の選択肢が通知されてもよい。この実施の形態は、より多い状態の通知を許容するように、第3の実施の形態と結合されてもよい。
【０１１３】
この実施の形態の変形例において、UEは、上述した状態を示すのに使用されるサブフレームの選択、パターン又は数と同程度の個数の提示サブフレームで送信するように許可される。
【０１１４】
（ｅ）複数周波数の存在通知
第5の実施形態は上記の実施形態と同様であるが、UEが受信したPTPIを担うSSに関連するアップリンクのアップリンク周波数とは異なるアップリンク周波数で、UEが存在通知をTPに送信するように許可される点が異なる。これは、特定のバンドで送信を行うことが可能なUEの利用の仕方をTPが制限すること、或いは他の周波数を受信するTPにUEの存在通知を仕向けることを可能にする。
【０１１５】
変形例において、UEは、1つより多い周波数で同時に存在通知を送信するように許可され、1つより多い周波数は、例えば、TPにより又は個々のTPにより提供されるプライマリ及びセカンダリLTEキャリアである。この変形例は、UEからの無駄な必須マルチキャリア存在通知を避ける観点からは、標準仕様で別途規定するのではなく、既存のコネクションのRRCにより設定されることが好ましい。これは、各周波数及びTPで使用されている負荷等のような要因に依存して、PTPIが送信される周波数を、TPが時間と共に変えることを許容する。
【０１１６】
図9は、UEから送信された存在通知に対するネットワークの可能な応答手順を示す。
【０１１７】
ステップ202において、ネットワークは、上記の何れかの実施形態に従ってUEから送信された各々の存在通知を受信する。
【０１１８】
ステップ２０４において、ネットワークは、存在通知と、存在通知が経由した送信ポイント又は存在通知を受信した送信ポイントとを照合する。これは、ＵＥが所定のＴＰから現在信号を受信しているか否か、受信している場合には、大まかに何台のＵＥであるかをネットワークが確認できるようにする。
【０１１９】
ステップ206において、ネットワークはその確認又は判断に応じてTPを適切に制御する。例えば、ページングチャネル、ブロードキャストチャネル又は参照信号のうちの任意の何れかをターンオン又はオフにするように、TPは制御されてもよい。
【０１２０】
以下の第6ないし第9の実施形態はそのような場合の具体例を示す。
【０１２１】
（ｆ）ページング/トラッキングエリア制御
第6の実施形態では、(少なくとも1つの)或る個数のTPでUEの存在通知を受信した場合、関連する存在通知が受信されたTP近辺のローカルなエリアにPCHの物理的な送信を制限するように、ネットワークは存在通知を利用してページングチャネル(PCH)の送信を制御する。物理的な送信手段を制限することに関し、例えば、存在通知が受信された場所に地理的に近い一群のTPを、PCHの送信用に選択してもよく、TPは受信機を有していること又は受信機の近辺に関連付けられていることが仮定されている。この実施形態は、UEの近辺に存在しないことが判明している(又はそのように推定される)TPからPCHを無駄に送信してしまうことを回避する。この情報は、UEのトラッキングエリアを更新するために上位レイヤにより使用されることも可能である。
【０１２２】
（ｇ）PBCH送信制御
第7の実施形態では、TPがデフォルトでPBCHを送信することは必須でない。(少なくとも1つの)或る個数のTPでUEの存在通知を受信した場合に、ネットワークは、TP群のうち少なくともいくつかのTPからのPBCHの送信を起動する。以後、ネットワークがそのTPに対する存在通知をもはや受信しなくなった場合、ネットワークはそのTPからのPBCHの送信を止めることができる。この形態の利点は、消費される送信電力を減らせること、及びPBCHによるセル間干渉を減らせること等である。
【０１２３】
このように、ネットワークは、PBCHを受信できる近辺にUEが存在していそうなことを確認しない限り、TPからPBCHを必ずしも送信しない。
【０１２４】
（ｈ）PSS及びSSS送信制御
第8の実施形態は第7の実施形態と同様であるが、TPはPSS及びSSSさえもデフォルトでは必ずしも送信しない点が異なる。この実施形態では、PSS及びSSSが利用可能である場所にUEが現在存在している場合に、少なくとも本願の第1、第2、第3の実施形態が使用される。UEが移動すると、TPがUEから存在通知を受信しなくなったことに基づいて、ネットワークはUEの移動方向を推定することができ、ネットワークは、UEが移動しそうであると判断した方向の地理的領域におけるPSS及びSSSをアクティブにすることが可能である。
【０１２５】
このように、ネットワークは、PSS/SSSを受信できる近辺にUEが存在していそうなことを確認しない限り、TPからPSS/SSSを必ずしも送信しない。従って本願による上記の実施形態はそのような地域で動作するようになる一方、送信電力を節約できる。
【０１２６】
（ｉ）CRS送信制御
第9の実施形態は第8の実施形態と同様であるが、ネットワークが受信したUE存在通知が経由したTPに応じて、上記の実施形態と同様に、特定のTPからのセル固有のリファレンス信号(CRS)の送信が制御され、これによりCRSの無駄な送信を回避することができる。
【０１２７】
（ｊ）PBCHの存在によるUE許可制限
第10の実施形態では、UEはデフォルトでは上記の実施形態による処理を行うようには許可されていない。そうではなく、PBCHの送信を検出するのではなく、PSS/SSSの送信を検出している場合の(送信元の)TPに、存在通知を送信するようにしかUEは許可されていない。このようにして、既にアクティブであるTPは、送信を開始し始めるべきであることを示す無駄なシグナリングを受信せず、UEもそのようなシグナリングを送信する必要はなく、送信電力を節約でき、PRACH又はSRSによる干渉を減らすことができる。
【０１２８】
変形例において、本願により提案されるUEの送信は、(PBCHではなく)CRSのようなリファレンス信号をUEが検出したことにより抑制されてもよい。
【０１２９】
この点、複数のTPが併存し、従来のセルを形成している場合に、何らかのUEがセル内に存在することが判明又は推定されるか否かによらず、少なくともいくつかのTPがPSS/SSS、CRS及びPBCHを常に送信することになる従来技術と異なる。
【０１３０】
（ｋ）SS受信状況変化によるUE許可制御
第11の実施形態では、第10の実施形態と同様に、UEはデフォルトでは上記の実施形態による処理を行うようには許可されていない。そうではなく、UEが受信可能な一群のSSに変化が生じた場合に、TPに存在通知を送信するようにしかUEは許可されていない。このようにして、ネットワークの観点から不変のままである場合には、UEは不要な存在通知を送信しない。
【０１３１】
（ｌ）SSサブフレームアソシエーションにより提供される存在通知リソース
第12の実施形態は上記の実施形態と同様であるが、関連する一群のTPは所定のサブフレーム形式のスケジュールに従ってSSを送信する点が異なり、そのスケジュールは少なくとも所定の地理的領域内のTPの中で調整される。特定のTPからサブフレームnでSSを受信できるUEは、そのように受信できたことを、少なくともnの関数であるmにより指定されるサブフレームmの所定の設定に従ってSRSを送信してよい旨の許可として受け止めることができる。この実施形態の基本原理については本件出願人による国際出願番号第PCT/EP2012/051452に示す実施形態に関連しており、その国際出願は本願のリファレンスに組み入れられる。
【０１３２】
（ｍ）UE同期調整
LTE-A_Rel-11は、「新キャリアタイプ(new  carrier  type：NTC)」を導入しており、NTCはRel-10及び先行するキャリアと後方互換性がない。ネットワークは従来のキャリア及び新たなキャリアの双方をUEに提供してよく、少なくとも或る環境では、UEは、そのような状況において従来のキャリアとは別に新たなキャリアに対する同期を獲得する必要がある。「従来のキャリア又はレガシーキャリア(legacy  carrier)」はRel-10及び従前のUEで使用するのに適したキャリアであり、従前のUEは本願において従来のUE又はレガシーUEと言及されてもよい。
【０１３３】
第13の実施形態では、TPはNCT及び従来のキャリアで別々にPSS/SSSを送信する。UEはPSS/SSSを利用してNCTにおける粗い同期を獲得するが、レガシーキャリアにおいてUEから存在通知を受信した後に、ネットワークは、例えばNCTでCRS又はCSI-RSの送信を行うことが可能であり、UEはそれを用いてNTCに対する同期の微調整を行うことができる。
【０１３４】
従来のRACH手順(図6参照)は存在通知の形態と考えられてもよく、変形例では、UEはNCTにおいて従来のRACH手順を実行し、粗いタイミングを取得し、NCTにおいて存在通知を適切に提供することができ、以後、RS又はCSI-RS等がNCTでイネーブルにされ、微細なタイミングを取得できるようにしてもよい。
【０１３５】
従来のRACHとの相違点は、本願によるRACH手順は、新たなキャリアでUEがCRSやPBCHを受信する必要がない点である。むしろ、新たなキャリアにおけるCRS及び/又はPBCHはRACHの後にアクティブにされる。通常はRACHに先行してPBCHによりUEが受信するシステム情報(MIB)は、他の手段により送信されてもよい。UEはその情報を例えばレガシーキャリアのシグナリングから受信することが可能である。
【０１３６】
（ｎ）UE存在通知に関する拡張可能なリファレンス信号
第14の実施形態では、リファレンス信号の送信を単にオン/オフするのではなく、或る自由度(extent)を制御するために存在通知が使用される。例えば、デフォルトではNCTにおいて、(PSS/SSS及び/又はCRS及び/又はCSI-RSのような)タイミング/リファレンス信号が無い、或いはタイミング/リファレンス信号がまばらな形態でしか存在しない。UEがレガシーキャリア又はNCTでUEの存在を通知した場合、デフォルトの設定は、NCTにおけるUEの同期を支援するために、時間及び/又は周波数の密度が増えるように変更される。同様な原理が、システム標準仕様に基づいて、レガシーキャリアに適用されることが可能である。
【０１３７】
CRSの場合、これは、デフォルトケースのCRSの送信を例えばシステム帯域幅のうちの中央の6RBの部分に制限し、おそらくは同様にサブフレーム形態も適用し、全てのサブフレームでは送信されないようにすることによって、実現できる。UE存在通知が受信されると、時間及び/又は周波数に関する密度が適切に増やされ、おそらくはリリース8標準仕様の全てに適用可能である(すなわち、CRSのために予約されているRB毎及びセル毎の8ないし24個のRE)。UEが十分確実に同期すると、CRSの密度は元に減らされてもよい。
【０１３８】
この実施形態において、ネットワークは、特定のリリースのUEの条件に合うように、NCTにおけるPSS/SSS及び/又はCRS及び/又はCSI-RSの存在(又は有無)を制御してもよい。例えば、リリース8のUEは一式の完全なPSS/SSS及び/又はCRSを必要とするかもしれない。
【０１３９】
同様な原理はCSI-RSの送信にも適用されてよいが、eNodeBが、デフォルトの形態を置換しなければならないのではなく、デフォルトの形態に追加的なCSI-RSサブフレーム形態を設定することが可能である(LTE-Aリリース11はUEのために設定される1つより多い数の非ゼロ送信電力CSI-RSパターンを許容する傾向があるかもしれない)。
【０１４０】
（ｏ）NCTからレガシーキャリアへの設定変更
第15の実施形態では、全てのキャリアがNCTとなるようにTPが設定される。TPがレガシーUEから存在通知を受信した場合において、(例えば、一群の存在通知の中から特定のRAプリアンブルが選択される)第1ないし第4の実施形態における存在通知に使用される特定のパラメータ群の中から、UEが選択を行うことにより又は選択するように制限されることにより、存在通知が特定される場合、TPは、レガシーキャリアを提供するように、関連するリファレンス信号及び/又は同期信号の送信を一時的に設定し直すことが可能である。
【０１４１】
（ｐ）あるセルの存在通知が別のセルのタイミングに基づく形態
第16の実施形態は、セルがアップリンク及びダウンリンクにことなるリソースを使用する場合に適用可能な上記の何れかの実施形態に基づくことが可能であり、UEは、1つより多い数のサービングセルに設定されることが可能であり、それらのサービングセルはそれぞれが異なるアップリンクリソースを有する。存在通知は、あるセルのアップリンクで送信されるが、別のセルのダウンリンクタイミングに基づくタイミングで送信される。LTEに適用される場合、UEはプライマリセル(Pcell)及びセカンダリセル(Scell)を利用できるように設定されてもよい。ネットワークは、Pcellのダウンリンクタイミングに基づいてScellアップリンクでPRACHを送信することをUEに要求してもよいし、或いは、Pcellでアップリンク送信の現在のタイミングに基づいて送信することをUEに要求してもよい。そのような「要求又はリクエスト」が明示的になされることは必須ではなく、ネットワークが存在通知の送信を単にイネーブルにしてもよい。UEは存在通知のタイミングに関するその状況を或る程度自立的に行ってもよい。「ULのみ(UL-only)」しか許容しないScellの動作が行われてもよいが、Scellで送信されたPRACHに対する何らかのレスポンスをPcellで受ける必要がある。
【０１４２】
この形態による更なる特徴は、少なくともUEに関して適用される一方のみのタイミングに基づいて、(例えば、Pcell及びScellという)2つのセルのタイミングが同期を想定できるほど十分に接近しているか否かを、ネットワークが存在通知(この例の場合には、ScellにおけるPRACH)から判断できることである。或いは、同期していることの仮定が成り立たない場合、ネットワークは第4の実施形態に従って適切な信号(例えば、PSS/SSS、CRS)を使用することが可能である。
【０１４３】
本願の開示範囲内で様々な変形が可能である。
【０１４４】
実施形態はLTE_FDDの観点から説明されてきたが、LTE_TDDにも適用可能であり、UMTSのような他の通信システムにも適用可能である。
【０１４５】
本願における「セル」に関し、セルと基地局又は送信ポイントとの間に1対1の対応関係は必須でない。ダウンリンク及びアップリンク関し、異なるセルが規定されてもよい。同じ送信ポイントにより複数のセルが提供されてもよい。「セル」という用語は広義に解釈され、例えば、サブセルやセルセクタ等を包含するように解釈される。
【０１４６】
実施形態はマクロセル及びピコアンテナポートに関連して説明されたが、このことは実施形態が適用されるネットワーク構造を制限するものではない。
【０１４７】
上記の実施形態は一般的に組み合わせられてもよく、例えば、PBCH及びCRSを一緒に送信するように(第7の実施形態と第9の実施形態とを)組み合わせてもよい。
【０１４８】
実施形態で説明されているようなTPからの送信を活性化及び不活性化することは、TPでローカルに決定されてもよいし、或いは複数のTPを制御するeNodeBのような何らかの上位レベルのアグリゲーションにより決定されてもよい。活性化はアクティブ化又はアクティベーション等と言及されてもよい。不活性化は非アクティブ化又はデアクティベーション等と言及されてもよい。UEから存在通知を受信するTPの必ずしも全てが、実施形態で説明されている方法の処理を実行するようには要求されない。
【０１４９】
提案されるUEの動作は、標準仕様により事前に決定されていてもよいし、或いは、例えば既に存在するRRCコネクションを用いて上位レイヤシグナリングにより設定されることも可能である。
【０１５０】
一般に、UEは、UEが受信できたPTPIを担うSSを送信した送信元のTPの全部に(すなわち何れにも)存在通知を送信することは必須でない。これは例えば次のような利点をもたらす。
【０１５１】
−  存在通知のシグナリングによりネットワークの負荷が過剰になってしまうこと(オーバーロード)を防ぐことができる。
【０１５２】
−  存在通知(の通知の仕方)を制御することによりネットワークに適切な情報を提供できる(或いは、適切な場合には、UEがネットワークに対して特定の見解を有していることをネットワークに示し、その見解はネットワークが実際に有しているものと異なるかもしれない)。
【０１５３】
例えば、複数のTPから信号を検出できるUEは、最強の信号を有する1つのTPに応答することを選択してもよい。
【０１５４】
CRS及びPSS/SSSのような何らかの送信がNCTでは送信されないようにすること、或いはそれらが時間及び周波数方向の密度を低くして送信されるようにすることが、可能である。本願の実施形態の原理は、新たなキャリアタイプだけでなく従来のキャリアにおいてもそのような送信をアクティブにする又はアクティブにしないように適用可能である。これは特に第5の実施形態に関連するが、第5の実施形態と、第6、第7、第8及び第9の実施形態との組み合わせに適用されてもよい。
【０１５５】
まとめると、本願の実施の形態は、何れの送信ポイント(TP)からUEは所定のブロードキャスト信号を受信できるかをUEがネットワークに自動的に通知する新規な方法を提供する。例えば、同期シーケンスの形式のブロードキャスト信号で特定のTPの物理識別子を受信することにより、UEは、希望すれば、そのTPからブロードキャスト信号を受信できる能力を示す通知(すなわち、そのTPのカバレッジ内に存在している旨の通知)をULで何時送信すべきかを推定する。次に、ネットワークは、それに応答して、ネットワークカバレッジの調整、他のブロードキャストチャネルのイネーブル又はディセーブル、及びページングの制御等のような適切な動作を実行することができる。
【０１５６】
本願の実施形態による利点は、先ず、UEはブロードキャスト信号を受信してレスポンスを送信するために何らの明示的なタイミング情報も知らなくてよいことを含む。これは従来のRACH手順とは異なり、例えば、その場合にはUEからの初期PRACH送信のタイミングは、SIBに含まれているPRACHリソースのブロードキャストシグナリング及びダウンリンクタイミング(PSS/SSSを監視し、PBCHのデコードを試みることにより、設定される)から決定される。また、従来のPRACHとは異なり、複数のURが各自の存在を同時に通知する場合に、従来の競合解決の処理は不要である。
【０１５７】
本願の実施形態では、UEが送信した存在通知に対するネットワークのレスポンスは、追加的なブロードキャストチャネルをアクティブ化する形態で通知される。送信オーバーヘッド及び/又はシグナリングを少なくすることは、特定の送信ポイントのカバレッジ/サービスエリアの中で端末の存在をネットワークが確認するために必要である。
【０１５８】
上述した本願の任意の実施形態における様々な特徴は、ハードウェア又は2つ以上のプロセッサ上で動作するソフトウェアモジュールで実現されてもよい。或る実施形態による特徴は他の何れかの実施形態に適用されてもよい。
【０１５９】
本願は、上述した任意の方法を実行するためのコンピュータプログラム又はコンピュータプログラムプロダクトを提供し、及び、本願で説明された任意の方法を実行するためのプログラムを記憶したコンピュータ可読記憶媒体も提供する。
【０１６０】
実施の形態を実現するためのコンピュータプログラムは、コンピュータ可読記憶媒体に保存されてもよいし、或いは、例えばインターネットウェブサイトから提供されるダウンロード可能なデータ信号のような信号の形態で実現されてもよいし、或いは他の任意の形態で実現されてもよい。
【０１６１】
産業上の利用可能性
本願による実施形態は従来技術よりも優れた効果的な手段を提供し、ネットワーク内のUEの配置に応じて動的に無線ネットワークを形成及び構築できるようにする。実施形態は、既存のセルラアーキテクチャを、よりいっそう柔軟にし、カバレッジの需要の変化に対応することが可能である。これは、そのようなネットワークを動作させる主要な運用の費用対効果を改善し、リソースの有効活用を可能にする。より具体的に言えば、RRCコネクションを設定する必要無しに、TPからの信号を受信できる能力をUEがネットワークに通知できる。これは、ネットワークからのコンフィギュレーションシグナリングを必要とすることなく、UEが自動的に適性を判断する情報をネットワークが受信できる状況をもたらす。そのような情報は、従来技術によるネットワークで単独に為されていたメジャーメントレポートによる情報と比較して、適切性及び適時性等の観点から優れた性質を有しており、従ってシステムのスケジューリング及びリソース利用効率を更に改善することが可能である。
【図１】
0005954487.tif 000002
【図２】
0005954487.tif 000003
【図３】
0005954487.tif 000004
【図４】
0005954487.tif 000005
【図５Ａ】
0005954487.tif 000006
【図５Ｂ】
0005954487.tif 000007
【図６】
0005954487.tif 000008
【図７】
0005954487.tif 000009
【図８】
0005954487.tif 000010
【図９】
0005954487.tif 000011